(57)【要約】【課題】連結具をワンタッチで連結ソケットに結合させたり、連結ソケットから分離させたりすることができるホースの連結構造物を提供する。【解決手段】連結具２０は、ホース１０内に挿入される嵌入部２１が一端に形成され、他端には複数のパッキン溝部２４を備えた気密保持部２３が形成され、気密保持部と嵌入部との間には作動部２６が形成される。連結ソケット３０は、気密保持部が挿入される結合孔３１Ａを有する支持部３１が一端に形成され、他端には内部に気密用パッキン４０が締結部材５０により密着する密着面３５が形成され、内周面にネジ山３６が備えられた連結部３４が形成される。支持部の入口側には係止段が内側へ突設される。作動手段６０は作動部に設置され、連結具を連結ソケットに結合させたり、連結ソケットから分離させたりする。気密保持リング７０はパッキン溝部に設けられ、気密を保持する。【選択図】図２
2006189159.tif 000002
【特許請求の範囲】
【請求項１】
ホース内に挿入される嵌入部が一端に形成され、複数のパッキン溝部を備えた気密保持部が他端に形成され、上記嵌入部と上記気密保持部との間に作動部が形成されている連結具；
一端には上記気密保持部を挿入させるための結合孔が形成され、上記結合孔の入口側には係止段が内側へ突設された支持部が形成され、他端には締結部材に結合するために内周面にネジ山を有する連結部が形成され、上記連結部の内部には締結部材により気密用パッキンが密着する密着面が形成されている連結ソケット；
上記作動部に設置され、上記連結具を上記連結ソケットに結合させたり、上記連結ソケットから分離させたりするための作動手段；及び
上記パッキン溝部に設置され、気密を保持するための気密保持リング；
を含むことを特徴とするホースの連結構造物。
【請求項２】
上記作動手段は、
上記作動部に設置され、一側には固定片が等間隔に多数形成され、他側端部には離脱防止段が突設され、上記固定片の先端には上記係止段に係止されるフックを有する固定具；及び
上記固定具の外周に移動自在に設置され、上記多数の固定片をすぼませることにより、上記係止段に係止された上記フックを分離させる作動具；
からなることを特徴とする請求項１に記載のホースの連結構造物。
【請求項３】
上記固定片は、上記フックの方向に行くほど径が大きくなることを特徴とする請求項２に記載のホースの連結構造物。
【請求項４】
上記気密保持部の外周面の端には、上記作動部の方向に傾いた傾斜部が一体に延設されたことを特徴とする請求項１に記載のホースの連結構造物。
【請求項５】
上記傾斜部は、上記作動部の方向に行くほど径が小さくなることを特徴とする請求項４に記載のホースの連結構造物。
【発明の詳細な説明】
【技術分野】
【０００１】
本発明はホースの連結構造物に関し、より詳しくは、ホースの連結構造物の組立を簡便に行うことができ、連結具をワンタッチで連結ソケットに結合させたり、連結ソケットから分離させたりすることができ、連結具の交換及び使用を便利に行うことができるホースの連結構造物に関する。
【背景技術】
【０００２】
一般に、ホースは、流し台本体又は洗面台に設置されている水道本体と連結され、続いて外部配管と連結されて流し台本体又は洗面台に水道水を供給するために使用されることがある。水道本体に連結されているホースと外部配管に連結されているホースとの間には、ホースを連結するためのホースの連結構造物が設置される。
【０００３】
かかる従来のホースの連結構造物につき、図面に基づいて説明すれば、次のようである。
【０００４】
図１に示したように、従来技術によるホースの連結構造物は、ホース１００内に挿入される嵌入部１１２が一端に形成され、気密保持部１１４が他端に形成されている連結具１１０と、締結部材１４０に一端が結合され、気密保持部１１４が他端に挿入されている連結ソケット１２０とから構成されている。
【０００５】
気密保持部１１４の端部には外側へ拡張した環状の係止段１１６が形成されている。連結ソケット１２０は気密保持部１１４が挿入される結合孔１２２が背面に長手方向に形成されている支持部１２４を有する。結合孔１２２の入口側の周辺には、係止段１１６が係合される係止溝１２６が形成されている。締結部材１４０が結合される連結ソケット１２０の一端には気密用パッキン１３０に密着する密着面１２８が多段に形成されている。
【０００６】
そして、気密保持部１１４の外周面には多数の設置溝１１８が形成されており、設置溝１１８には気密保持リング１５０が設けられている。
【０００７】
このように、連結ソケット１２０と締結部材１４０とが締結されるように構成された従来技術によるホースの連結構造物によれば、各々のホース１００が気密を保持して結合され、締結部材１４０と連結ソケット１２０との締結時に回転が発生しても、連結具１１０が連結ソケット１２０と共に回転しないので、ホース１００のねじれを防止することができる。
【０００８】
ここで、締結部材１４０は、水道本体や流し台本体及び外部配管に設置される。
【０００９】
しかし、上記のような従来技術によるホースの連結構造物は、連結構造物を締結部材１４０に設置しようとする場合、連結ソケット１２０に連結具１１０を挿入して結合させた後、連結ソケット１２０を締結部材１４０にネジ締結しなければならなかったため、連結構造物の組立作業において時間が非常にかかる。その上、連結具１１０を交換しようとする場合には、締結部材１４０にネジ締結された連結ソケット１２０を締結部材１４０から分離させ、さらに連結ソケット１２０に設置された連結具１１０を分離させてから交換しなければならなかったため、連結具１１０の交換作業において、時間が非常にかかることになる等の不便な問題点があった。
【発明の開示】
【発明が解決しようとする課題】
【００１０】
本発明は、上記のような従来技術の問題点を解決するためになされたものであり、その技術的な課題は、ホースの連結構造物の組立を簡便に行うことができ、連結具をワンタッチで連結ソケットに結合させたり、連結ソケットから分離させたりすることができ、連結具の交換及び使用を便利に行うことができるホースの連結構造物を提供することにある。
【００１１】
本発明の他の技術的な課題は、水圧により連結具が連結ソケットから離脱することを防止することができるホースの連結構造物を提供することにある。
【課題を解決するための手段】
【００１２】
本発明の実施の一態様によれば、ホース内に挿入される嵌入部が一端に形成され、複数のパッキン溝部を備えた気密保持部が他端に形成され、上記嵌入部と上記気密保持部との間に作動部が形成されている連結具、一端には上記気密保持部を挿入させるための結合孔が形成され、上記結合孔の入口側には内側へ係止段の突設された支持部が形成され、他端には締結部材に結合するために内周面にネジ山を有する連結部が形成され、上記連結部の内部には締結部材により気密用パッキンが密着する密着面が形成されている連結ソケット、上記作動部に設置され、上記連結具を上記連結ソケットに結合させたり、上記連結ソケットから分離させるための作動手段、及び上記パッキン溝部に設置され、気密を保持するための気密保持リングを含むことを特徴とするホースの連結構造物が得られる。
【００１３】
望ましくは、固定片はフックの方向に行くほど径が大きくなることを特徴とする。
【００１４】
望ましくは、気密保持部の外周面の端には作動部の方向に傾いた傾斜部が一体に延設されたことを特徴とする。
【発明の効果】
【００１５】
本発明によるホースの連結構造物は、ホースが挿設された連結具を作動手段の作動により連結ソケットに結合させたり、連結ソケットから分離させるようにした構成であって、連結具を連結ソケットに対しワンタッチで簡便に着脱することができ、ホースの連結構造物の組立性を向上させる。また、作動手段により連結具がワンタッチで連結ソケットに結合されたり、連結ソケットから分離されることにより、連結具の交換及び使用を便利に行うことができる。また、連結具に傾斜部が形成されることで、強い水圧により連結具が連結ソケットから離脱することを防止することができ、水道水の無駄使いを防止し、製品をより安全且つ便利に使用することができる。
【発明を実施するための最良の形態】
【００１６】
以下、図面を参照して、本発明の実施の形態に係るホースの連結構造物を詳細に説明する。
【００１７】
図２は本発明の第１実施例によるホースの連結構造物の分離斜視図であり、図３は図２の結合状態を示す断面図である。
【００１８】
図示のホースの連結構造物は、水道本体に設置された締結部材や外部配管に設置された締結部材とホースとの間に設置され、水道水を外部へ供給させるように構成されている。
【００１９】
ホースの連結構造物Ａは、連結具２０、連結ソケット３０、締結部材５０及び作動手段６０から構成される。
【００２０】
より具体的に説明すれば、連結具２０はホース１０と連結ソケット３０とに結合されるもので、一端にはホース１０内に挿入される嵌入部２１が形成され、他端には複数のパッキン溝部２４を備えた気密保持部２３が形成されている。気密保持部２３と嵌入部２１との間には作動部２６が形成されている。
【００２１】
連結ソケット３０の一端には連結具２０が結合され、他端は締結部材５０にネジ締結される。連結ソケット３０の一端には、気密保持部２３が挿入される結合孔３１Ａを有する支持部３１が形成されている。支持部３１の入口側には、係止段３２が内側へ突設されている。連結ソケット３０の他端には、内周面に沿ってネジ山３６が備えられた連結部３４が形成されている。連結部３４の内部には、締結部材５０により気密用パッキン４０に密着させられる密着面３５が形成されている。
【００２２】
作動部２６に設置される作動手段６０は、連結具２０を連結ソケット３０に結合させるためのもので、固定具６１と作動具６６とからなる。
【００２３】
固定具６１の一側には固定片６２が等間隔に多数形成され、他側端部には離脱防止段６４が突設される。固定片６２の先端には係止段３２に係止されるフック６２Ａが形成されている。固定片６２はフック６２Ａの方向に行くほど径が大きくなっている。
【００２４】
作動具６６は、固定具６１の外周に移動自在に設置されるもので、固定片に向けて移動すると、固定片６２をすぼませることにより、係止段３２に係止されたフック６２Ａを係止段３２から分離させる。
【００２５】
続いて、パッキン溝部２４に設けられる気密保持リング７０は、連結具２０が連結ソケット３０に結合された時、気密を保持して水道水の漏れを防止する。
【００２６】
参照符号８０は、嵌入部２１が結合されたホース１０の外周に圧着して設置され、連結具２０がホース１０から分離されることを防止する圧着具である。
【００２７】
上記のように構成されたホースの連結構造物の作用を図４に基づいて説明すれば、次のとおりである。
【００２８】
先ず、連結ソケット３０の連結部３４の内部に気密用パッキン４０を挿入させた後、連結ソケット３０の連結部３４を締結部材５０に結合させる。締結部材５０と連結部３４とがネジ結合されると、締結部材５０の一側端部が気密用パッキン４０を押圧することになり、これにより気密用パッキン４０は密着面３５に密着し、連結ソケット３０が締結部材５０に緊密に締結される（図４ａ参照）。
【００２９】
次に、作動手段６０を連結具２０の作動部２６に設置し、連結具２０の嵌入部２１にホース１０を結合させ、パッキン溝部２４には気密保持リング７０を設ける。上記のように連結具２０にホース１０と気密保持リング７０とが設けられたら、連結具２０の気密保持部２３を、図４ｂのように支持部３１の結合孔３１Ａに挿入して位置させる。
【００３０】
この時、等間隔に形成された固定片６２はそれ自体が弾性を有しており、フック６２Ａの方向に行くほど径が大きくなるので、図４ｂに示したように結合初期にはフック６２Ａが係止段３２に接触することになる。
【００３１】
このような状態で、連結具２０を結合孔３１Ａの内部にさらに挿入させると、押圧力によりフック６２Ａは係止段３２に沿って移動して、固定片６２はそれ自体の弾性によりすぼみ、気密保持部２３が結合孔３１Ａに完全に係合されると元の状態に復帰し、これによりフック６２Ａは係止段３２に係止されて図４ｃのような状態となる。
【００３２】
かかる状態で水道水をホース１０を通して外部へ供給すれば良い。
【００３３】
一方、連結具２０を連結ソケット３０から分離しようとする場合には、図４ｃのような状態で作動手段６０の作動具６６を矢印Ｘ１方向に押し付ける。すると、作動具６６が固定具６１の外周に沿って移動し、この作動具６６の移動により固定片６２はすぼみ、係止段３２に係止されているフック６２Ａは係止解除されて図４ｄのような状態となる。
【００３４】
このような状態で、連結具２０を外部に引っ張ると、連結具２０の気密保持部２３は結合孔３１Ａから離脱し、これにより連結具２０は図４ａのように連結ソケット３０から分離される。
【００３５】
図５は本発明の第２実施例によるホースの連結構造物における連結具を示す斜視図であり、図６ａはそのホースの連結構造物における連結ソケットの連結部が締結部材に結合され、ホースが連結具に結合された状態を示す分離断面図であり、図６ｂは連結ソケットに連結具が結合された状態を示す断面図である。
【００３６】
図示のホースの連結構造物は、連結具２０に傾斜部２８を形成することで、水圧により連結具２０が連結ソケット３０から離脱させられることのないように構成されている。
【００３７】
図５、図６ａ及び図６ｂに示したように、ホースの連結構造物Ａは、連結具２０、連結ソケット３０、締結部材５０及び作動手段６０から構成される。
【００３８】
連結具２０は、ホース１０と連結ソケット３０とに結合されるもので、一端にはホース１０内に挿入される嵌入部２１が形成され、他端には複数のパッキン溝部２４を備えた気密保持部２３が形成されている。気密保持部２３と嵌入部２１との間には作動部２６が形成されている。気密保持部２３の外周面の端には傾斜部２８が作動部２６の方向に傾くように一体に延設されている。傾斜部２８は作動部２６の方向に行くほど径が小さくなる。
【００３９】
連結ソケット３０の一端には連結具２０が結合され、他端は締結部材５０にネジ締結される。連結ソケット３０の一端には気密保持部２３が挿入される結合孔３１Ａを有する支持部３１が形成されている。支持部３１の入口側には係止段３２が内側へ突設される。連結ソケット３０の他端には内周面に沿ってネジ山３６が備えられた連結部３４が形成されている。連結部３４の内部には気密用パッキン４０が締結部材５０により密着する密着面３５が形成されている。
【００４０】
作動部２６に設置される作動手段６０は、連結具２０を連結ソケット３０に結合させるためのもので、固定具６１と作動具６６とからなる。
【００４１】
固定具６１の一側には固定片６２が等間隔に多数形成され、他側端部には離脱防止段６４が突設される。固定片６２の先端には係止段３２に係止されるフック６２Ａが形成されている。固定片６２はフック６２Ａの方向に行くほど径が大きくなる。
【００４２】
作動具６６は固定具６１の外周に移動自在に設置されるもので、固定片６２に向けて移動すると、固定片６２をすぼませることにより、係止段３２に係止されたフック６２Ａを係止段３２から分離させる。
【００４３】
続いて、パッキン溝部２４に設けられる気密保持リング７０は、連結具２０が連結ソケット３０に結合時、気密を保持して水道水の漏れを防止する。
【００４４】
圧着具８０は、嵌入部２１が結合されたホース１０の外周に圧着して設置され、連結具２０がホース１０から分離されることを防止する。
【００４５】
ここで、フック６２Ａの先端の径は、傾斜部２８の径と同じであるか、傾斜部２８の径より大きい。
【００４６】
以下、このように構成されたホースの連結構造の作用につき説明する。
【００４７】
前述のような方法により、先ず、連結ソケット３０の連結部３４の内部に気密用パッキン４０を挿入させた後、連結ソケット３０の連結部３４を締結部材５０に結合させる。この時、締結部材５０と連結部３４とがネジ結合されると、締結部材５０の一側端部が気密用パッキン４０を押圧することになり、これにより気密用パッキン４０は密着面３５に密着し、連結ソケット３０が締結部材５０に緊密に締結される。
【００４８】
次に、作動手段６０を連結具２０の作動部２６に設置し、連結具２０の嵌入部２１にホース１０を結合させ、パッキン溝部２４には気密保持リング７０を設ける。
【００４９】
上記のように連結具２０にホース１０と気密保持リング７０が設けられたら、連結具を結合孔３１Ａ内に挿入させる。すると、フック６２Ａは係止段３２に沿って移動する。
【００５０】
この時、固定片６２はそれ自体の弾性によりすぼみ、気密保持部２３が結合孔３１Ａに完全に係合されると、元の状態に復帰し、これによりフック６２Ａが係止段３２に係止されて図６ｂのような状態となる。この時、フック６２Ａの先端は気密保持部２３と傾斜部２８との境界部位に位置される。
【００５１】
このように結合された状態で水道水をホース１０を通して外部へ供給すれば良い。
【００５２】
そして、連結具２０を連結ソケット３０から分離しようとする場合には、図６ｂのような状態で作動手段６０の作動具６６を矢印Ｘ１方向に押し付ける。すると、作動具６６が固定具６１の外周に沿って移動し、この作動具６６の移動により固定片６２はすぼみ、フック６２Ａは係止段３２から係止解除されると共に、傾斜部２８に沿って移動することになり、フック６２Ａの移動により固定具６１はホース１０の方向に移動されて図６ｃのような状態となる。
【００５３】
このような状態で連結具２０を外部に引っ張ると、連結具２０の気密保持部２３は結合孔３１Ａから離脱し、これにより連結具２０は図６ａのように連結ソケット３０から分離される。
【００５４】
図７を参照すれば、矢印Ｘ２のように水道水がホース１０を通して外部へ供給されるとき、強い水圧が発生し、この水道水の水圧により連結具２０がホース１０の方向に移動することになる。この連結具２０の移動により傾斜部２８及び気密保持部２３は固定片６２の内径に挿入される。すると、固定片６２は傾斜部２８及び気密保持部２３の挿入により外側に開かれ、支持部３１の入口側の内周面に密着し、同時にフック６２ａは係止段３２に堅固に係止される。従って、締結部材５０からホース１０の方向に流れる水道水の強い水圧により連結具２０がホース１０の方向に移動しても、連結具２０が連結ソケット３０から離脱することは傾斜部２８により防止される。よって、水道水の無駄使いが防止され、使用者は製品をより安全且つ便利に使用することができる。
【００５５】
なお、本発明は上記の実施例に限定されるものではなく、特許請求の範囲に記載された本発明の要旨を逸脱しない範囲内で種々の変更が可能であることはいうまでもない。
【図面の簡単な説明】
【００５６】
【図１】従来技術によるホースの連結構造物を示す断面図である。
【図２】本発明の第１実施例によるホースの連結構造物の分離斜視図である。
【図３】図２のホースの連結構造物の結合状態を示す断面図である。
【図４ａ】図２のホースの連結構造物の使用状態図であって、連結ソケットの連結部が締結部材に結合され、ホースが連結具に結合された状態を示す分離断面図である。
【図４ｂ】図２のホースの連結構造物の使用状態図であって、連結ソケットに連結具が結合される状態を示す断面図である。
【図４ｃ】図２のホースの連結構造物の使用状態図であって、連結ソケットに連結具が完全に結合された状態を示す断面図である。
【図４ｄ】図２のホースの連結構造物の使用状態図であって、連結ソケットから連結具が分離される状態を示す断面図である。
【図５】本発明の第２実施例によるホースの連結構造物に使用される連結具を示す斜視図である。
【図６ａ】図５の連結具を用いたホースの連結構造物の使用状態であって、連結ソケットの連結部が締結部材に結合され、ホースが連結具に結合された状態を示す分離断面図である。
【図６ｂ】図５の連結具を用いたホースの連結構造物の使用状態であって、連結ソケットに連結具が結合された状態を示す断面図である。
【図６ｃ】図５の連結具を用いたホースの連結構造物の使用状態であって、連結ソケットから連結具が分離される状態を示す断面図である。
【図７】図５の連結具を用いたホースの連結構造物の作動状態を示す断面図である。
【符号の説明】
【００５７】
１０  ホース
２０  連結具
２１  嵌入部
２３  気密保持部
２４  パッキン溝部
２６  作動部
２８  傾斜部
３０  連結ソケット
３１  支持部
３１Ａ  結合孔
３２  係止段
３４  連結部
３５  密着面
３６  ネジ山
４０  気密用パッキン
５０  締結部材
６０  作動手段
６１  固定具
６２  固定片
６２Ａ  フック
６４  離脱防止段
６６  作動具
７０  気密保持リング
Ａ  ホースの連結構造物
【図１】
2006189159.tif 000003
【図２】
2006189159.tif 000004
【図３】
2006189159.tif 000005
【図４ａ】
2006189159.tif 000006
【図４ｂ】
2006189159.tif 000007
【図４ｃ】
2006189159.tif 000008
【図４ｄ】
2006189159.tif 000009
【図５】
2006189159.tif 000010
【図６ａ】
2006189159.tif 000011
【図６ｂ】
2006189159.tif 000012
【図６ｃ】
2006189159.tif 000013
【図７】
2006189159.tif 000014